(57)【要約】【課題】  複雑な構造を必要とせず、製造作業が簡略で、長寿命かつ高輝度な有機ＥＬパネルを提供する。  【解決手段】  支持基板上に形成され少なくとも発光層を有する有機層を陽極と陰極とで挟持してなる有機ＥＬ素子と、前記有機ＥＬ素子を覆う封止部材と、からなる有機ＥＬパネルであって、前記支持基板もしくは前記封止部材の少なくとも一方が色変換機能を備える。【選択図】図１
2005190678.tif 000002
【特許請求の範囲】
【請求項１】
支持基板と、前記支持基板上に形成され少なくとも発光層を有する有機層を陽極と陰極とで挟持してなる有機ＥＬ素子と、前記有機ＥＬ素子を覆う封止部材と、からなる有機ＥＬパネルであって、
前記支持基板もしくは前記封止部材の少なくとも一方が色変換機能を備えることを特徴とする有機ＥＬパネル。
【請求項２】
前記支持基板もしくは前記封止部材の少なくとも一方は前記発光層における発光色と異なる色が着色されてなることを特徴とする請求項１に記載の有機ＥＬパネル。
【請求項３】
前記支持基板もしくは前記封止部材の少なくとも一方は前記発光層における発光色と補色関係にある色が着色されてなることを特徴とする請求項１に記載の有機ＥＬパネル。  
【請求項４】
支持基板と、前記支持基板上に形成され少なくとも発光層を有する有機層を陽極と陰極とで挟持してなる有機ＥＬ素子と、前記有機ＥＬ素子を覆う平板部材及び支持部材からなる封止部材と、からなる有機ＥＬパネルであって、
前記平板部材は色変換機能を備えることを特徴とする有機ＥＬパネル。
【請求項５】
前記平板部材は前記発光層における発色光の色と異なる色が着色されてなることを特徴とする請求項４に記載の有機ＥＬパネル。
【請求項６】
前記平板部材は前記発光層における発色光の色と補色関係にある色が着色されてなることを特徴とする請求項４に記載の有機ＥＬパネル。
【発明の詳細な説明】
【技術分野】
【０００１】
本発明は、少なくとも一方が透光性の一対の電極によって少なくとも発光層を含む有機層を挟持してなる有機ＥＬ（electro luminescence）素子を支持基板上に配設し、前記有機ＥＬ素子を覆う封止部材を前記支持基板に接合してなる有機ＥＬパネルに関するものである。
【背景技術】
【０００２】
有機ＥＬ素子を利用した表示器としての有機ＥＬパネルは、自発光素子であるためバックライト照明が不要であり、視野角が広く、大型表示パネルに適することから実用化が進められている。このような有機ＥＬパネル１は、例えば、特許文献１に開示されている。
【特許文献１】特開２００１−１２６８６３号公報
【０００３】
有機ＥＬパネルの色を変換する方法の一つに色変換フィルタ方式がある。色変換フィルタ方式の有機ＥＬパネル１は、図３のように、透光性の支持基板２に色変換フィルタ３と単色発光の有機ＥＬ素子４を蒸着法により形成するものである。この有機ＥＬ素子４は、例えば、色変換フィルタである青色フィルタ３と、ＩＴＯ（indium tin oxide）等の透光性の導電材料からなる透明電極（陽極）５と、透明電極５側から正孔注入層，正孔輸送層，黄色発光層６ａ，電子輸送層及び電子注入層からなる有機層（少なくとも発光層６ａを有する有機層）６と、アルミニウム（Ａｌ）等の導電材料からなる背面電極（陰極）７とを支持基板２上に順次積層形成することで得られるものである。有機ＥＬ素子から発する黄色の発色光は青色フィルタ３を透過することで、白色の表示光となって支持基板から取り出される。また、有機ＥＬ素子４は、封止部材である凹部形状の封止板８で覆われており、支持基板２と封止板８とは、例えば紫外線硬化型接着剤からなるシール剤９で気密的に接合される。  
【発明の開示】
【発明が解決しようとする課題】
【０００４】
以上のような構成の有機ＥＬパネル１は、単色発光の有機ＥＬ素子４と色変換フィルタ３を組み合わせて色変換を実現させた場合に、通常、同一基板上で色変換フィルタ３と有機ＥＬ素子４とを積層することになる。このように、支持基板２上に色変換フィルタ３を製膜し、さらに有機ＥＬ素子４を設けると、透明電極であるＩＴＯ薄膜中の応力や、透明電極と色変換フィルタとの熱膨張係数の違いによる剥離現象が生じるため、製造工程が複雑で、作業は困難なものとなる。また、光が色変換フィルタ３で吸収されるため、発光効率が低下する。素子構造によっては、寿命が短く、輝度が低く、発光効率が低いという素子の性質が有機ＥＬパネル１の問題として現れる。
【０００５】
本発明は、前述した問題点に着目し、複雑な構造を必要とせず、製造作業が容易で、長寿命かつ高輝度な有機ＥＬパネル１を提供する。
【課題を解決するための手段】
【０００６】
本発明は、前述した課題を解決するため、支持基板と、前記支持基板上に形成され少なくとも発光層を有する有機層を陽極と陰極とで挟持してなる有機ＥＬ素子と、前記有機ＥＬ素子を覆う封止部材と、からなる有機ＥＬパネルであって、前記支持基板もしくは前記封止部材の少なくとも一方が色変換機能を備えるものである。
【０００７】
また、前記支持基板もしくは前記封止部材の少なくとも一方は前記発光層における発光色と異なる色が着色されてなるものである。
【０００８】
また、前記支持基板もしくは前記封止部材の少なくとも一方は前記発光層における発光色と補色関係にある色が着色されてなるものである。
【０００９】
また、支持基板と、前記支持基板上に形成され少なくとも発光層を有する有機層を陽極と陰極とで挟持してなる有機ＥＬ素子と、前記有機ＥＬ素子を覆う平板部材及び支持部材からなる封止部材と、からなる有機ＥＬパネルであって、前記平板部材は色変換機能を備えるものである。
【００１０】
また、前記平板部材は前記発光層における発色光の色と異なる色が着色されてなるものである。
【００１１】
また、前記平板部材は前記発光層における発色光の色と補色関係にある色が着色されてなるものである。
【発明の効果】
【００１２】
本発明は、前記支持基板上に形成され少なくとも発光層を有する有機層を陽極と陰極とで挟持してなる有機ＥＬ素子と、前記有機ＥＬ素子を覆う封止部材と、からなる有機ＥＬパネルに関し、製造工程が簡略で、長寿命かつ高輝度で、発光効率の高い有機ＥＬ素子を用いて、発光層から得られる光とは異なる色を帯びる表示光を取り出し、長寿命かつ高輝度で発光効率の高い所望の色を帯びる表示光を発光する有機ＥＬパネルを提供するものである。
【発明を実施するための最良の形態】
【００１３】
以下、添付図面に基づいて、本発明の第１の実施形態を説明する。従来例と同一もしくは相当箇所には同一符号を付し、その詳細な説明を省く。
【００１４】
図１は、本発明の第１の実施形態を示す有機ＥＬパネルの断面図である。第１の実施形態は、色変換機能を支持基板２に備え、黄色に単色発光する有機ＥＬ素子４と、青色に着色した支持基板２を用いて、白色の表示光Ｌ２を外部に発する有機ＥＬパネル１を示すものである。
【００１５】
有機ＥＬパネル１は、支持基板２と、有機ＥＬ素子４と、封止板（封止部材）８と、を有している。
【００１６】
支持基板２は、青色に着色されたガラスまたは青色の透光性樹脂材料からなり、有機ＥＬ素子４を支持し、有機ＥＬ素子４から発せられる発色光Ｌ１を取り出すものである。黄色の発色光Ｌ１は、青色の支持基板２を透過することで、白色の表示光Ｌ２となって有機ＥＬパネル１外部へ発光する。また、支持基板２は、封止板８よりも若干大きめに形成されており、封止板８を配設可能としている。
【００１７】
有機ＥＬ素子４は、支持基板２上に、透明電極５と有機層６と背面電極７とをスパッタリング法，スピンコート法，蒸着法等の適宜方法によって、順次積層形成してなるものである。
【００１８】
有機層６は、透明電極５側から正孔注入層，正孔輸送層，発光層６ａ，電子輸送層及び電子注入層を蒸着法等の手段によって順次積層形成し、膜厚１００〜３００ｎｍの層状となるものである。本発明の実施形態にあっては、少なくとも発光層６ａを有するものであればよい。
【００１９】
透明電極５にはＩＴＯ（indium tin oxide）等の透光性の導電材料を用いる。背面電極７は、アルミニウム（Ａｌ）等の導電材料からなるものである。
【００２０】
封止板８は、例えばガラス材料からなる平板部材８ａと支持部材８ｂからなり、支持部材８ｂを、シール剤９を介し支持基板２上に配設することで、封止板８と支持基板２とで構成される収納空間内に有機ＥＬ素子４を気密的に収納することができる。
【００２１】
以上の各部によって構成される本実施形態の有機ＥＬパネル１は、発光層６ａにおいて黄色の発色光Ｌ１が生じ、黄色の発色光Ｌ１は、青色に着色された支持基板２を透過し、外部へ白色の表示光Ｌ２となって取り出される。本実施形態は、補色関係にある黄色と青色を混合すると無彩色の白色となることを利用したものである。これにより、白色の表示光Ｌ２を取り出したい場合に、長寿命で高輝度な黄色の発色光Ｌ１を発光する有機ＥＬ素子４と色変換機能を備えた支持基板２を用いることで、白色の発色光Ｌ１を発光する有機ＥＬ素子４よりも、高輝度で長寿命な有機ＥＬパネルが得られる。また、複雑な色変換フィルタを設ける工程がなくなるために製造工程を簡略にすることが可能となる。
【００２２】
図２は、本発明の第２の実施形態を示す有機ＥＬパネル１の断面図である。従来例及び第１の実施形態と同一もしくは相当箇所には同一符号を付し、その詳細な説明を省く。
【００２３】
第２の実施形態は、封止板８に色変換機能を備え、黄色に単色発光する有機ＥＬ素子４と、青色に着色した封止板８を用いて、白色の表示光Ｌ２を封止板８側から外部にとりだす有機ＥＬパネル１を示すものである。
【００２４】
有機ＥＬパネル１は、支持基板２と、有機ＥＬ素子４と、封止板８と、を有している。
【００２５】
支持基板２は、例えば、ガラスまたは樹脂材料からなり、有機ＥＬ素子４を支持するものである。封止板８は、青色に着色されたガラス材料もしくは青色の透光性樹脂材料を用いた平板部材８ａと支持部材８ｂから形成される。黄色の発色光Ｌ１は、青色の封止板８を透過することで、白色の表示光Ｌ２となって有機ＥＬパネル１外部へ発光する。
【００２６】
本実施形態の有機ＥＬパネル１は、発光層６ａにおいて黄色の発色光Ｌ１が生じ、黄色の発色光Ｌ１は、青色に着色された封止板８を透過し、有機ＥＬパネル１の外部へ白色の表示光Ｌ２となって取り出される。
【００２７】
なお、第１の実施形態及び第２の実施形態においては混合すると無彩色になる補色関係にある黄色の発色光Ｌ1を白色の表示光となす色変換を行ったが、例えば、アンバーの発色光を発光する素子を用いてもよく、また、発色光の色と支持基板あるいは封止板である色変換媒体の色は、補色関係になくともよく、任意である。
【００２８】
以上の構成をとる本発明は、発光層で生じる光を色変換する封止板もしくは支持基板を有し、簡略な製造工程にて、長寿命かつ高輝度な、発光効率の高い有機ＥＬパネルを提供することを可能とする。
【図面の簡単な説明】
【００２９】
【図１】本発明の第１の実施形態の断面図。
【図２】本発明の第２の実施形態の断面図。
【図３】従来例の断面図。
【符号の説明】
【００３０】
１  有機ＥＬ素子パネル
２  支持基板
４  有機ＥＬ素子
５  透明電極（陽極）
６ａ  発光層
７  背面電極（陰極）
８  封止板
８ａ  平板部材
【図１】
2005190678.tif 000003
【図２】
2005190678.tif 000004
【図３】
2005190678.tif 000005